(57)【要約】【課題】パワーアンプの電源電圧を降圧するＤＣ−ＤＣコンバータによる受信品質の劣化を防ぐ。【解決手段】ＤＣ−ＤＣコンバータ２０は、パワーアンプ３０の電源電圧を降圧する。パワーアンプ３０は、ＤＣ−ＤＣコンバータ２０を介して供給された電力を利用して、信号を増幅する。切替スイッチ４０は、ＤＣ−ＤＣコンバータ２０を迂回して電力をパワーアンプ３０に供給する状態と、ＤＣ−ＤＣコンバータ２０を介して電力をパワーアンプ３０に供給する状態とを切替え可能である。モデムＩＣ５０は、ＤＣ−ＤＣコンバータ２０を介して電力をパワーアンプ３０に供給している状態において、受信したデータの復調に失敗した場合に、ＤＣ−ＤＣコンバータ２０を迂回して電力をパワーアンプ３０に供給する状態に切替スイッチ４０を切替える。このとき、ＤＣ−ＤＣコンバータ２０が停止される。【選択図】図１
2014033292.tif 000002
【特許請求の範囲】
【請求項１】
電圧変換器と、前記電圧変換器を介して供給された電力を利用して信号を増幅する増幅器とが設けられた通信端末であって、
前記電圧変換器を迂回して電力を前記増幅器に供給する状態と、前記電圧変換器を介して電力を前記増幅器に供給する状態とを切替え可能なスイッチと、
前記電圧変換器を介して電力を前記増幅器に供給している状態において、受信したデータの復調に失敗したときに、前記電圧変換器を迂回して電力を前記増幅器に供給する状態に前記スイッチを切替え、かつ前記電圧変換器を停止する制御部とを備える、通信端末。
【請求項２】
受信したデータの復調に所定の第１の回数失敗したとき、前記通信端末からのデータの送信が停止され、
前記制御部は、前記電圧変換器を介して電力を前記増幅器に供給している状態において、受信したデータの復調に前記第１の回数よりも少ない第２の回数失敗したときに、前記電圧変換器を迂回して電力を前記増幅器に供給する状態に前記スイッチを切替え、かつ前記電圧変換器を停止する、請求項１に記載の通信端末。
【請求項３】
受信したデータの復調に前記第１の回数連続して失敗したとき、前記通信端末からのデータの送信が停止され、
前記制御部は、前記電圧変換器を介して電力を前記増幅器に供給している状態において、受信したデータの復調に前記第２の回数連続して失敗したときに、前記電圧変換器を迂回して電力を前記増幅器に供給する状態に前記スイッチを切替え、かつ前記電圧変換器を停止する、請求項２に記載の通信端末。
【請求項４】
前記制御部は、前記電圧変換器を迂回して電力を前記増幅器に供給している状態において、受信したデータの復調に成功したときに、前記電圧変換器を介して電力を前記増幅器に供給する状態に前記スイッチを切替え、かつ前記電圧変換器を作動させる、請求項１に記載の通信端末。
【請求項５】
前記制御部は、前記電圧変換器を迂回して電力を前記増幅器に供給している状態において、受信したデータの復調に所定の回数成功したときに、前記電圧変換器を介して電力を前記増幅器に供給する状態に前記スイッチを切替え、かつ前記電圧変換器を作動させる、請求項４に記載の通信端末。
【請求項６】
前記制御部は、前記電圧変換器を迂回して電力を前記増幅器に供給している状態において、受信したデータの復調に前記所定の回数連続して成功したときに、前記電圧変換器を介して電力を前記増幅器に供給する状態に前記スイッチを切替え、かつ前記電圧変換器を作動させる、請求項５に記載の通信端末。
【請求項７】
データはフレーム毎に受信され、フレーム毎に復調される、請求項１に記載の通信端末。
【発明の詳細な説明】
【技術分野】
【０００１】
本発明は、通信端末に関し、特に、電圧を変換して電力を増幅器に供給する電圧変換器を具備する通信端末に関する。
【背景技術】
【０００２】
携帯電話などの通信端末の中には、たとえば基地局と携帯電話との距離に応じて送信出力を変化させるべく、パワーアンプの電源電圧を降圧するＤＣ−ＤＣコンバータを備えたものがある。たとえば基地局と携帯電話との距離が短い場合などにパワーアンプの電源電圧を降圧し、送信出力、すなわち消費電力を低減できる。
【０００３】
しかしながら、ＤＣ−ＤＣコンバータはノイズ源ともなり得るため、ＤＣ−ＤＣコンバータの動作中は通信性能が劣化し得る。このような課題に対応する１つの方策として、特開２００８−２１１６４７号公報（特許文献１）は、放送受信系で放送波を受信中に通信系によるデータ送信が生じたときには電圧変換部（ＤＣ−ＤＣコンバータ）をバイパスした電源電圧駆動を行ない、放送受信系が使用されていない状態で通信系によるデータ送信が生じたときには電圧変換部を使用した制御電圧駆動を可能とすることを開示する。
【先行技術文献】
【特許文献】
【０００４】
【特許文献１】特開２００８−２１１６４７号公報
【発明の概要】
【発明が解決しようとする課題】
【０００５】
特開２００８−２１１６４７号公報においては、通信系によるデータ送信が生じたときにはＤＣ−ＤＣコンバータが使用されるが、ＤＣ−ＤＣコンバータが通信系に与える影響については何等考慮されていない。より具体的には、ＤＣ−ＤＣコンバータの使用により通信系が受信した信号にノイズが含まれることがあり得るが、このノイズに対する対応は十分とは言えない。したがって、例えば３ＧＰＰ２（Third Generation Partnership Project 2）規格に従って、１２フレーム連続で「ＢＡＤ＿ＦＲＡＭＥ」を受信した場合（フレームを復調できなかった場合）、通信系からの送信が遮断され得る。この場合、例えば通話の相手先において、音声が途切れ得る。
【０００６】
本発明は、上述の課題に鑑みてなされたものであって、その目的は、通信の品質を保つことである。
【課題を解決するための手段】
【０００７】
ある実施例において、通信端末には、電圧変換器と、電圧変換器を介して供給された電力を利用して信号を増幅する増幅器とが設けられる。通信端末は、電圧変換器を迂回して電力を増幅器に供給する状態と、電圧変換器を介して電力を増幅器に供給する状態とを切替え可能なスイッチと、電圧変換器を介して電力を増幅器に供給している状態において、受信したデータの復調に失敗したときに、電圧変換器を迂回して電力を増幅器に供給する状態にスイッチを切替え、かつ電圧変換器を停止する制御部とを備える。
【０００８】
別の実施例では、受信したデータの復調に所定の第１の回数失敗したとき、通信端末からのデータの送信が停止される。電圧変換器を介して電力を増幅器に供給している状態において、受信したデータの復調に第１の回数よりも少ない第２の回数失敗したときに、電圧変換器を迂回して電力を増幅器に供給する状態にスイッチが切替えられる。
【０００９】
さらに別の実施例では、受信したデータの復調に第１の回数連続して失敗したとき、通信端末からのデータの送信が停止される。電圧変換器を介して電力を増幅器に供給している状態において、受信したデータの復調に第２の回数連続して失敗したときに、電圧変換器を迂回して電力を増幅器に供給する状態にスイッチが切替えられ、かつ電圧変換器が停止される。
【００１０】
さらに別の実施例では、電圧変換器を迂回して電力を増幅器に供給している状態において、受信したデータの復調に成功したときに、電圧変換器を介して電力を増幅器に供給する状態にスイッチが切替えられ、かつ電圧変換器が作動される。
【００１１】
さらに別の実施例では、電圧変換器を迂回して電力を増幅器に供給している状態において、受信したデータの復調に所定の回数成功したときに、電圧変換器を介して電力を増幅器に供給する状態にスイッチが切替えられ、かつ電圧変換器が作動される。
【００１２】
さらに別の実施例では、電圧変換器を迂回して電力を増幅器に供給している状態において、受信したデータの復調に所定の回数連続して成功したときに、電圧変換器を介して電力を増幅器に供給する状態にスイッチが切替えられ、かつ電圧変換器が作動される。
【００１３】
さらに別の実施例では、データはフレーム毎に受信され、フレーム毎に復調される。
【発明の効果】
【００１４】
電圧変換器を介して電力を増幅器に供給している状態において、受信したデータの復調に失敗すると、電圧変換器を迂回して電力を増幅器に供給するため、その後は、電圧変換器の作動により受信データに生じるノイズを低減できる。そのため、受信データの劣化を抑制できる。
【図面の簡単な説明】
【００１５】
【図１】携帯電話の概略構造を示すブロック図である。
【図２】携帯電話において実行される処理を示すフローチャートである。
【発明を実施するための形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１を参照して、通信端末の一例としての携帯電話１０について説明する。図１に示される携帯電話は特定の形態に限定されるものではなく、スマートフォンと呼ばれるものであってもよい。また、携帯電話の他、ＰＤＡ（Personal Digital Assistant）等に本発明を適用してもよい。
【００１８】
携帯電話１０には、ＤＣ−ＤＣコンバータ２０と、パワーアンプ（PA: Power Amplifier）３０とが設けられる。さらに、携帯電話１０は、切替スイッチ４０と、モデムＩＣ（Integrated Circuit）５０とを備える。
【００１９】
ＤＣ−ＤＣコンバータ２０は、バッテリ６０とパワーアンプ３０との間に設けられる。ＤＣ−ＤＣコンバータ２０は、パワーアンプ３０の電源電圧を降圧する。ＤＣ−ＤＣコンバータ２０は、モデムＩＣ５０から送信される制御信号に従って作動する。パワーアンプ３０の電源電圧は、基地局（図示せず）と携帯電話１０との距離などの応じて変更される。一例として、基地局と携帯電話１０との距離が短いほど、パワーアンプ３０の電源電圧が低くされる。なお、パワーアンプ３０の電源電圧の制御方法はこれに限定されない。
【００２０】
パワーアンプ３０は、ＤＣ−ＤＣコンバータ２０を介して供給された電力を利用して、トランシーバＩＣ５２からの信号を増幅する。パワーアンプ３０によって増幅された信号は、デュプレクサ７０を介してメインアンテナ８１に伝達される。すなわち、パワーアンプ３０によって増幅された信号がメインアンテナ８１から送信される。
【００２１】
メインアンテナ８１を用いて受信した信号は、デュプレクサ７０、ならびに低ノイズアンプ（LNA: Low Noise Amplifier）９１を介してトランシーバＩＣ５２に伝達される。携帯電話１０は、メインアンテナ８１の他にも、サブアンテナ８２を備える。サブアンテナ８２を用いて受信した信号は、低ノイズアンプ９２を介してトランシーバＩＣ５２に伝達される。
【００２２】
トランシーバＩＣ５２は、受信した信号によって示されるデータを復調する。本実施の形態においては、３ＧＰＰ２規格に準じて、データはフレーム毎に受信され、フレーム毎に復調される。したがって、本実施の形態においては、フレームが１つ復調された場合、データが一回復調されたものとみなす。なお、３ＧＰＰ２規格以外の規格に従ってデータを送受信ならびに復調するようにしてもよい。
【００２３】
復調に失敗したフレームは、「ＢＡＤ＿ＦＲＡＭＥ」として取り扱われる。３ＧＰＰ２規格に従い、「ＢＡＤ＿ＦＲＡＭＥ」を１２フレーム連続で受信した場合、携帯電話１０からの例えば音声データの送信が停止される。すなわち、データの復調に１２回連続して失敗した場合、携帯電話１０からの送信が停止される。
【００２４】
なお、携帯電話１０からの送信を停止する条件はこれに限定されない。「ＢＡＤ＿ＦＲＡＭＥ」を所定の任意の数Ｎ１だけ連続して受信した場合、携帯電話１０からの送信を停止するようにしてもよい。
【００２５】
連続ではないが、所定の数Ｎ１の「ＢＡＤ＿ＦＲＡＭＥ」を受信した場合に、携帯電話１０からの送信を停止するようにしてもよい。所定の期間内に所定の数Ｎ１の「ＢＡＤ＿ＦＲＡＭＥ」を受信した場合に、携帯電話１０からの送信を停止するようにしてもよい。所定の数だけ受信したフレームのうち、「ＢＡＤ＿ＦＲＡＭＥ」が任意の数Ｎ１以上である場合に、携帯電話１０からの送信を停止するようにしてもよい。その他、携帯電話１０からの送信を停止する条件には、種々の条件が用いられ得る。
【００２６】
切替スイッチ４０は、ＤＣ−ＤＣコンバータ２０を迂回して電力をパワーアンプ３０に供給する状態と、ＤＣ−ＤＣコンバータ２０を介して電力をパワーアンプ３０に供給する状態とを切替え可能である。切替スイッチ４０は、モデムＩＣ５０からの制御信号に従って作動される。
【００２７】
本実施の形態においては、ＤＣ−ＤＣコンバータ２０を介して電力をパワーアンプ３０に供給している状態において、「ＢＡＤ＿ＦＲＡＭＥ」を受信した場合に、ＤＣ−ＤＣコンバータ２０を迂回して電力をパワーアンプ３０に供給する状態に切替スイッチ４０が切替えられる。すなわち、ＤＣ−ＤＣコンバータ２０を介して電力をパワーアンプ３０に供給している状態において、受信したデータの復調に失敗した場合に、ＤＣ−ＤＣコンバータ２０を迂回して電力をパワーアンプ３０に供給する状態に切替スイッチ４０が切替えられる。すなわち、切替スイッチ４０がオンにされる。このとき、ＤＣ−ＤＣコンバータ２０が停止される。
【００２８】
より具体的には、ＤＣ−ＤＣコンバータ２０を介して電力をパワーアンプ３０に供給している状態において、１〜１１の間で開発者により任意に定められた数の「ＢＡＤ＿ＦＲＡＭＥ」を連続して受信した場合に、ＤＣ−ＤＣコンバータ２０を迂回して電力をパワーアンプ３０に供給する状態に切替スイッチ４０が切替えられる。
【００２９】
ＤＣ−ＤＣコンバータ２０を迂回して電力をパワーアンプ３０に供給する状態に切替スイッチ４０を切替える条件は、これらに限定されない。所定の任意の数Ｎ２（Ｎ２＜Ｎ１）の「ＢＡＤ＿ＦＲＡＭＥ」を連続してを受信した場合に、ＤＣ−ＤＣコンバータ２０を迂回して電力をパワーアンプ３０に供給する状態に切替スイッチ４０が切替えられてもよい。
【００３０】
連続ではないが、任意の数Ｎ２の「ＢＡＤ＿ＦＲＡＭＥ」を受信した場合に、ＤＣ−ＤＣコンバータ２０を迂回して電力をパワーアンプ３０に供給する状態に切替スイッチ４０が切替えられてもよい。所定の期間内に所定の数Ｎ２の「ＢＡＤ＿ＦＲＡＭＥ」を受信した場合に、ＤＣ−ＤＣコンバータ２０を迂回して電力をパワーアンプ３０に供給する状態に切替スイッチ４０が切替えられてもよい。所定の数だけ受信したフレームのうち、「ＢＡＤ＿ＦＲＡＭＥ」が任意の数Ｎ２以上である場合に、ＤＣ−ＤＣコンバータ２０を迂回して電力をパワーアンプ３０に供給する状態に切替スイッチ４０が切替えられてもよい。その他、ＤＣ−ＤＣコンバータ２０を迂回して電力をパワーアンプ３０に供給する状態に切替スイッチ４０を切替える条件には、種々の条件が用いられ得る。
【００３１】
その後、ＤＣ−ＤＣコンバータ２０を迂回して電力をパワーアンプ３０に供給する状態において、受信したデータ、すなわちフレームの復調に成功したときに、ＤＣ−ＤＣコンバータ２０を介して電力をパワーアンプ３０に供給する状態に切替スイッチ４０が切替えられる。すなわち、切替スイッチ４０がオフにされる。このとき、ＤＣ−ＤＣコンバータ２０が再度作動される。
【００３２】
より具体的には、所定の任意の数のフレームの復調に連続して成功したときに、ＤＣ−ＤＣコンバータ２０を介して電力をパワーアンプ３０に供給する状態に切替スイッチ４０が切替えられる。なお、ＤＣ−ＤＣコンバータ２０を介して電力をパワーアンプ３０に供給している状態に切替スイッチ４０が切替えられる条件はこれに限定されない。
【００３３】
連続ではないが、所定の数のフレームの復調に成功したときに、ＤＣ−ＤＣコンバータ２０を介して電力をパワーアンプ３０に供給する状態に切替スイッチ４０が切替えられてもよい。
【００３４】
所定の期間内に所定の数のフレームの復調に成功した場合に、ＤＣ−ＤＣコンバータ２０を介して電力をパワーアンプ３０に供給する状態に切替スイッチ４０が切替えられてもよい。所定の数だけ受信したフレームのうち、復調に成功したフレームの数が所定の任意の数以上である場合に、ＤＣ−ＤＣコンバータ２０を介して電力をパワーアンプ３０に供給する状態に切替スイッチ４０が切替えられてもよい。その他、ＤＣ−ＤＣコンバータ２０を介して電力をパワーアンプ３０に供給する状態に切替スイッチ４０を切替える条件には、種々の条件が用いられ得る。
【００３５】
図２を参照して、本実施の形態において、通話が開始された後にモデムＩＣ５０ならびにトランシーバＩＣ５２より実行される処理について説明する。以下に説明する処理は、ソフトウェアによって実現されてもよく、ハードウェアによって実現されてもよく、ソフトウェアとハードウェアとの協働によって実現されてもよい。
【００３６】
ステップ（以下、ステップをＳと略す）１００にて、バッテリ６０の電圧が所定の値以上であるという条件などを含む、ＤＣ−ＤＣコンバータ２０の動作条件が満たされているか否かが判断される。この動作条件は、「ＢＡＤ＿ＦＲＡＭＥ」を受信したかどうかなどの受信品質に関する条件を含まない。
【００３７】
ＤＣ−ＤＣコンバータ２０の動作条件が満たされていなければ（Ｓ１００にてＮＯ）、Ｓ１０２にて、切替スイッチ４０がオンにされ、かつＤＣ−ＤＣコンバータ２０が停止される。したがって、ＤＣ−ＤＣコンバータ２０を迂回して電力がパワーアンプ３０に供給される。通話中に、「ＢＡＤ＿ＦＲＡＭＥ」を１２フレーム連続で受信した場合は、（Ｓ１０３にてＹＥＳ）、Ｓ１１４にて、３ＧＰＰ２規格に従い、携帯電話１０からの音声データの送信が停止される。
【００３８】
ＤＣ−ＤＣコンバータ２０の動作条件が満たされている場合（Ｓ１００にてＹＥＳ）、Ｓ１０４にて、切替スイッチ４０がオフにされ、かつＤＣ−ＤＣコンバータ２０が作動される。したがって、ＤＣ−ＤＣコンバータ２０を介して電力がパワーアンプ３０に供給される。
【００３９】
ＤＣ−ＤＣコンバータ２０を介して電力をパワーアンプ３０に供給している状態において、受信品質が劣化して「ＢＡＤ＿ＦＲＡＭＥ」を受信した場合（Ｓ１０６にてＹＥＳ）、Ｓ１０８にて、切替スイッチ４０がオンにされ、かつＤＣ−ＤＣコンバータ２０が停止される。したがって、ＤＣ−ＤＣコンバータ２０を迂回して電力がパワーアンプ３０に供給される。
【００４０】
その後、ＤＣ−ＤＣコンバータ２０を迂回して電力をパワーアンプ３０に供給する状態において、受信状態が回復し、フレームの復調に成功すると（Ｓ１１０にてＹＥＳ）、Ｓ１０４にて、切替スイッチ４０がオフにされ、かつＤＣ−ＤＣコンバータ２０が作動される。したがって、ＤＣ−ＤＣコンバータ２０を介して電力がパワーアンプ３０に再び供給される。
【００４１】
ＤＣ−ＤＣコンバータ２０を迂回して電力がパワーアンプ３０に供給されている状態において、「ＢＡＤ＿ＦＲＡＭＥ」を１２フレーム連続で受信した場合は（Ｓ１１２にてＹＥＳ）、Ｓ１１４にて、携帯電話１０からの音声データの送信が停止される。
【００４２】
以上のように、本実施の形態においては、ＤＣ−ＤＣコンバータ２０を介して電力をパワーアンプ３０に供給している状態において、受信したフレームの復調に失敗すると、ＤＣ−ＤＣコンバータ２０を迂回して電力をパワーアンプ３０に供給する。そのため、ＤＣ−ＤＣコンバータ２０の作動により受信データに生じるノイズを低減できる。それによって、受信データの劣化を抑制できる。
【００４３】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４４】
１０  携帯電話、２０  ＤＣ−ＤＣコンバータ、３０  パワーアンプ、４０  切替スイッチ、５０  モデムＩＣ、５２  トランシーバＩＣ、６０  バッテリ、７０  デュプレクサ、８１  メインアンテナ、８２  サブアンテナ、９１，９２  低ノイズアンプ。
【図１】
2014033292.tif 000003
【図２】
2014033292.tif 000004